(57)【要約】 【課題】球の揚送を高速で行うことができ、且つ球の受け入れと送出とを円滑に行うことができるパチンコ機の球揚送装置を提供する。【解決手段】駆動源により回転されて球を揚送する回転体２と、この回転体２が内蔵されて球を上方に案内するガイド筒３とを備える遊技機の球揚送装置において、前記回転体２を、棒状のガイド軸５と、このガイド軸５に捲回された螺旋コイル４とからなるものとしたうえに、螺旋コイル４の両端部におけるピッチを中間部より小さく形成して、螺旋コイル４の両端部における球揚送速度を中間部より小さくした球揚送装置。【選択図】  図１
2011030968.tif 000002
【特許請求の範囲】
【請求項１】
駆動源により回転されて球を揚送する回転体と、この回転体が内蔵されて球を上方に案内するガイド筒とを備える遊技機の球揚送装置において、
前記回転体を、螺旋山部の間に螺旋溝が形成された棒状のものとしたうえに、回転体の両端部における螺旋山部のピッチを中間部より小さく形成して、回転体の両端部における球揚送速度を中間部より小さくしたことを特徴とするパチンコ機の球揚送装置。
【請求項２】
棒状のガイド軸に金属線を螺旋状に捲回した螺旋コイルを螺旋山部となし、この螺旋山部の間に螺旋溝を形成したうえに、回転体の両端部における螺旋山部のピッチを中間部より小さく形成して、回転体の両端部における球揚送速度を中間部より小さくした請求項１に記載のパチンコ機の球揚送装置。
【請求項３】
ガイド筒内に、球が縦に一球ずつ通過可能な球揚送路を一本設けた請求項１又は２に記載のパチンコ機の球揚送装置。
【請求項４】
ガイド筒内に、玉が縦に一球ずつ通過可能な玉揚送路を２本以上設けた請求項１又は２に記載のパチンコ機の球揚送装置。
【発明の詳細な説明】
【技術分野】
【０００１】
本発明は、パチンコ球を遊技機島上部又は遊技機内の発射位置に揚送するためのパチンコ機の球揚送装置に関するものである。
【背景技術】
【０００２】
パチンコ機は、複数台のパチンコ機が一つの遊技機島を形成して配設されており、球は遊技機島内や遊技機島間を循環する。通常遊技機島の端部には球揚送装置が配設されており、使用されて回収されて来た球が研磨等されたのち球揚送装置により遊技機島上部に揚送されて再び使用に供される。
また、封入式パチンコ機では、球は一台のパチンコ機内を循環する。通常、封入式パチンコ機内には揚送装置が配設されており、発射後回収された球が球揚送装置により発射装置に揚送されて再び発射に供される。
【０００３】
球揚送装置として、例えば特許文献１、２に開示されたものがある。これらのものは、螺旋コイルを有しており、この螺旋コイルのピッチ間に取り込んだ球をパチンコ球移動用の案内部材により案内して揚送することができる。しかしながら、螺旋コイルは一定間隔のピッチで巻いたものであるので、球を高速で揚送した場合には、駆動源にかかる負荷は大きくなり、且つ案内部材の球入り口と出口において球が噛み込まれたりして球の受け入れと送出とを円滑に行うことができないという問題があった。また、一定間隔とした螺旋コイルのピッチごとに球が保持されるので、揚送状態にある球の数が多くなって、球全体の必要数が多くなってしまうという問題もあった。
【先行技術文献】
【特許文献】
【０００４】
【特許文献１】特開平１０−５２５５３号公報    （図１）
【特許文献２】特開平１０−３２３４３４号公報  （図１５）
【発明の概要】
【発明が解決しようとする課題】
【０００５】
本発明は、上記した従来の問題点に鑑み、中間部において螺旋コイル1回転で球の揚送を高速で行うことができ、且つ球の受け入れと送出とを円滑に行うことができるパチンコ機の球揚送装置を提供することを課題とする。
【課題を解決するための手段】
【０００６】
上記の課題を解決するためになされた本発明に係るパチンコ機の球揚送装置は、駆動源により回転されて球を揚送する回転体と、この回転体が内蔵されて球を上方に案内するガイド筒とを備える遊技機の球揚送装置において、
前記回転体を、螺旋山部の間に螺旋溝が形成された棒状のものとしたうえに、回転体の両端部における螺旋山部のピッチを中間部より小さく形成して、回転体の両端部における球揚送速度を中間部より小さくしたことを特徴とするものである。
【０００７】
上記した発明において、棒状のガイド軸に金属線を螺旋状に捲回して螺旋山部となし、この螺旋山部の間に螺旋溝を形成したうえに、回転体の両端部における螺旋山部のピッチを中間部より小さく形成して、回転体の両端部における球揚送速度を中間部より小さくすることができる。また、ガイド筒内に、球が縦に1球ずつ通過可能な球揚送路を一本設けることができるし、又は、ガイド筒内に、玉が縦に１球ずつ通過可能な玉揚送路を２本以上設けることができる。
【発明の効果】
【０００８】
本発明のパチンコ機の球揚送装置は、棒状の回転体の両端部における螺旋山部のピッチを中間部より小さいものとしたので、両端部における球の揚送速度を小さくして球の受け入れと送出を円滑に行うことができる。又、中間部における螺旋山部のピッチを両端部より大きいものとしたので、回転体の一回転による球の移動量を大きく取ることができて、これによって中間部において球を高速で揚送することができる。また、回転体による球揚送速度を低速又は高速にする場合、棒状のガイド軸に捲回された金属線の螺旋山部のピッチを部分的に狭小又は遠大にすることで、1本の螺旋コイルの1回転により球速度を自在に調節することができる。
【図面の簡単な説明】
【０００９】
【図１】本発明の球揚送装置の内部構造を示す正面図である。
【図２】図１の球揚送装置の側面図である。
【図３】螺旋コイルの要部拡大図である。
【図４】螺旋コイルの要部拡大図である。
【図５】別の形態の球揚送装置を示す平面図（ａ）と正面の断面図（ｂ）である。
【発明を実施するための形態】
【００１０】
以下に、本発明の実施形態に付いて説明する。
図１、２は、第１の実施形態であるパチンコ機の球揚送装置を示す図であって、１は駆動装置であるモータ、２は回転体、３は球揚送用のガイド筒である。
【００１１】
ガイド筒３は下端に球を一球ずつ受け入れる球入口３１を有し、上端には球出口３２を有している。球入り口３１の底面は下り傾斜に形成され、球の取り込みを容易とし、球出口３２の天井面は開口に向けて湾曲され、球の排出を容易となしてある（図２）。図１に示す揚送装置においては、ガイド筒３の一側に寄せて回転体２が立設されていて、これによってガイド筒３の一方の側面３３に沿って球が縦に一列で通過が可能な球揚送路６が形成されている。
【００１２】
回転体２は、棒状のガイド軸５とこのガイド軸外側に金属線が螺旋状に捲回された螺旋コイル４と、螺旋コイル支持歯車５１からなる。ガイド軸５の下端には、螺旋コイル支持歯車５１が設けられ、この螺旋コイル支持歯車５１はモータギア１１に噛合されている。また、ガイド軸５の上端はガイド筒３に設けたベアリング（図示していない）に保持されている。ガイド軸５として耐摩耗性、剛性に優れた鉄鋼、ステンレス鋼などの金属棒を用いるのが望ましい。また、螺旋コイル４として、硬鋼線、ステンレス鋼線、ピアノ線などの金属線を用いることができる。
【００１３】
上記回転体２においては、螺旋コイル４が螺旋山部として形成されており、この螺旋コイル４の間は螺旋溝４２となっている。回転体２として、棒状のガイド軸５と螺旋山部とが一体に形成され、螺旋山部のピッチ間に螺旋溝が形成されたドリル形状のものを用いることができる。
【００１４】
また、ガイド筒３として断面形状四角形や円形、楕円形などの金属製の筒を用いることができる。以上のような構成の球揚送装置は、取り付け部材７又は、その他の取り付け方法（直付け、嵌め込み等）により遊技機の裏面に固定される。
【００１５】
なお、上記球揚送路６においては、玉揚送路６における側面３３と回転体２のガイド軸外周面との間は一列の球が通過可能な隙間に形成されており、かつ側面３３と螺旋コイルの外周との間は、１個の球が脱落しないような小さな隙間に形成してある。
【００１６】
螺旋コイル４の要部構造を図３に示す。螺旋コイル４は、その下端に直線部４１を有し、螺旋コイル支持歯車５１（図示していない）の溝部に嵌め込み取り付けられる。又、螺旋コイル４の下端のガイド軸５に２巻き程度がきつく巻き付けられて固定することも可能である。そして、螺旋コイル４の下端部はピッチＰ１が狭くしてこの次にやや広くしたピッチＰ２が形成され、さらにこの次にもっと広くしたピッチＰ３が形成されて、螺旋コイル４が巻き付けられている。例えばＰ１を３０ｍｍ、Ｐ２を５０ｍｍ、Ｐ３を１００ｍｍというように順次大きく取ることができる。螺旋コイル４の上端部の構造は、逆にＰ３、Ｐ２、Ｐ１として順次狭くなるように形成してある。球はそれぞれのピッチ間に取り込まれて上昇されるので、球入口３１からゆっくり球を受け入れると共に、この受け入れた球を順次増速して揚送することができる。そして、上端部においてはピッチが順次狭く形成してあるので、高速で揚送されてきた球を順次減速して低速度で球出口３２から送出することができる。又、揚送する速度を変えたい場合には、コイルのピッチの必要箇所を自在に可変にすることで、揚送速度も自在に操ることができる。
【００１７】
また、螺旋コイル４の巻き付けを図４に示すように、短ピッチＰ１の次に長ピッチＰ２が連続して繰り返されるものとすることができる。例えばＰ１を３０ｍｍ、Ｐ２を１００ｍｍとすることができる。螺旋コイル４をこのようなものとしても、低速度で球入り口３１から受け入れた球を急激に増速して揚送したのち、球出口３２直前で急激に減速して低速度にて送出することができる。
【００１８】
図５には、ガイド筒３内に２本の球揚送路６を設けたものを示す。すなわち、ガイド筒３の断面形状を矩形としてその中心に回転体２を立設することにより矩形の短片側側面３３との間に球揚送路６を設けることができるので、球揚送路６を二本として球の揚送能力を倍増することができる。さらに、ガイド筒３を四方に膨出させて十字形のものとすることにより４本の球揚送路６を設けることができるし、ガイド軸５を太径化することにより、このガイド軸５の外周に多数本の球揚送路６を設けることができる。
【符号の説明】
【００１９】
１  モータ、２  回転体、３  ガイド筒、４  螺旋コイル、５  ガイド軸、６  球揚送路、５１  螺旋コイル支持歯車、
【図３】
2011030968.tif 000003
【図４】
2011030968.tif 000004
【図１】
2011030968.tif 000005
【図２】
2011030968.tif 000006
【図５】
2011030968.tif 000007